(57)【特許請求の範囲】
【請求項１】
乗りかごと、巻上機と、釣合おもりと、前記巻上機に巻きかけられ、前記乗りかごと前記釣合おもりとを連結する主ロープと、を備えたエレベーター装置において、
前記乗りかごが四角柱の形状を有し、前記四角柱の４つの角部が面取り部を有し、
前記乗りかごの上部及び下部に整風カバーが設置され、
前記整風カバーが、前記乗りかごの前面及び後面のそれぞれを前記乗りかごの長手方向に沿って延長した位置に設置された一対の前後部板と、
前記乗りかごの左右の側面のそれぞれを前記乗りかごの長手方向に沿って延長した位置に設置された一対の側方部板と、
前記前後部板と前記側方部板とを連結する４枚の角部曲面板と、からなり、
前記乗りかごの前記面取り部の幅が前記角部曲面板の幅と等しく、
前記乗りかごの上部に設置された整風カバーの前記角部曲面板と、前記乗りかごの面取り部と、前記乗りかごの下部に設置された整風カバーの前記角部曲面板とが前記乗りかごの長手方向に沿って連続するように接続され、
前記前後部板と前記側方部板との間及び前記前後部板と前記乗りかごとの間に角部が生じないように構成されていることを特徴とするエレベーター装置。
【請求項２】
前記前後部板と、前記角部曲面板と、前記側方部板とが一体に形成されていることを特徴とする請求項１記載のエレベーター装置。
【請求項３】
前記前後部板と前記側方部板のそれぞれが、前記整風カバーの周方向に少なくとも２分割されていることを特徴とする請求項１又は２に記載のエレベーター装置。
【請求項４】
さらに、前記乗りかごと前記整風カバーとの間にフレームカバーが設置され、
前記フレームカバーが四角柱の形状を有し、前記フレームカバーの前記四角柱の４つの角部が面取り部を有し、
前記フレームカバーの前記面取り部の幅が、前記角部曲面板の幅及び前記乗りかごの面取り部の幅と等しく、
前記乗りかごの上部に設置された整風カバーの前記角部曲面板と、前記乗りかごの上部に設置された前記フレームカバーの前記面取り部と、前記乗りかごの面取り部と、前記乗りかごの下部に設置された前記フレームカバーの前記面取り部と、前記乗りかごの下部に設置された整風カバーの前記角部曲面板とが、前記乗りかごの長手方向に沿って連続するように接続されていることを特徴とする請求項１乃至３のいずれか１項に記載のエレベーター装置。
【請求項５】
前記前後部板に窓部が設けられていることを特徴とする請求項１乃至４のいずれか１項に記載のエレベーター装置。
【請求項６】
乗りかごと、巻上機と、釣合おもりと、前記巻上機に巻きかけられ、前記乗りかごと前記釣合おもりとを連結する主ロープと、を備えたエレベーター装置の組立方法において、
四角柱の形状を有し、前記四角柱の４つの角部が面取り部を有する乗りかごを準備する工程と、
前記乗りかごの上部及び下部に整風カバーを設置する工程と、を有し、
前記整風カバーを設置する工程が、前記整風カバーの組立工程として、前後部板と、側方部板と、前記前後部板と前記側方部板とを連結し、前記乗りかごの前記面取り部の幅と等しい幅を有する角部曲面板と、からなる角部結合部品を８つ準備する工程と、
前記乗りかごの上部及び下部の四隅のそれぞれに、前記角部曲面板と前記乗りかごの面取り部とが前記乗りかごの長手方向に沿って連続するように前記角部結合部品を配置する工程と、
前記乗りかごと前記角部結合部品及び前記角部結合部品同士を固定する工程と、を有することを特徴とするエレベーター装置の組立方法。
【請求項７】
さらに、前記乗りかごと前記角部結合部品との間に、フレームとフレーム板とからなるフレームカバーを設置する工程を有し、
前記フレームカバーが四角柱の形状を有し、前記フレームカバーの前記四角柱の４つの角部が面取り部を有し、
前記フレームカバーの面取り部の幅が、前記角部曲面板の幅及び前記乗りかごの面取り部の幅と等しく、
前記フレームカバーの面取り部と前記乗りかごの面取り部とが、前記乗りかごの長手方向に沿って連続するように前記フレームカバーを前記乗りかごに設置することを特徴とする請求項６記載のエレベーター装置の組立方法。
【発明の詳細な説明】
【技術分野】
【０００１】
本発明は、エレベーター装置及びエレベーター装置の組立方法に関し、特に乗りかごの上下部に整風カバーを備えたエレベーター装置及びエレベーター装置の組立方法に関する。
【背景技術】
【０００２】
本技術分野の背景技術として、特開２００７‐１６１４２１号公報（特許文献１）、特開２０１０‐１４３６９１号公報（特許文献２）及び特開平１０‐２７９２３０号公報（特許文献３）がある。
【０００３】
特許文献１には、乗かごの上部及び下部に設けられ、上記乗かごの移動に応じて発生する風切り音を抑制するエレベータの乗かご整風装置において、上記乗かごの上方及び下方に向って伸縮可能に設置される蛇腹式の整風体と、上記乗かごの上部及び下部の縁部近傍に、上記整風体を駆動する駆動手段とを設けたことを特徴とするエレベータの乗かご整風装置が開示されている。
【０００４】
特許文献２には、かご室と、上記かご室を支持するかご枠と、上記かご室の上部および下部の少なくとも一方に取り付けられた防風装置と、を備え、昇降路内に昇降自在に配設されるエレベータのかごにおいて、上記防風装置は、昇降方向に先細り形状に構成されて上記かご室の上面および下面の少なくとも一方の面を覆う整風カバーと、上記上整風カバーを上記かご室に取り付ける整風カバー取付機構と、を備え、上記整風カバーは、少なくとも上記かご枠の部位で該かご枠の両側に分割された複数の整風カバーパネルからなり、上記整風カバー取付機構は、上記複数の整風カバーパネルのそれぞれの内壁面に取り付けられた複数のパネル支持体と、上記複数のパネル支持体のそれぞれに対応するように上記かご枠の上枠および下枠の少なくとも一方に取り付けられて所定方向に延在する複数のガイドレールと、を有し、上記複数の整風カバーパネルが、それぞれ、上記パネル支持体を、対応する上記ガイドレールに当該ガイドレールの延在方向からスライド式に嵌合させて、互いに隙間無く取り付けられていることを特徴とするエレベータのかごが開示されている。
【０００５】
特許文献３には、建物内の昇降路に沿って上下に昇降し、乗客が内部に搭乗できるキャビンと、上記キャビンを間隔をおいて被せ、上方と下方へ行くほど断面積が減る形状のカバー手段と、上記昇降路の最下部の底面に設置される衝撃緩衝機とを備えるエレベーターにおいて、上記カバー手段は、断面積が最も大きい部分が上記キャビンの上部面から上方へ所定距離だけ離隔設置される第１カバー手段と、断面積が最も大きい部分が上記キャビンの下部面から下方へ所定距離だけ離隔設置される第２カバー手段とを含み、上記第１カバー手段と上記第２カバー手段とは多数の分割部材に分解できることを特徴とするカバーを備えるエレベーターが開示されている。
【先行技術文献】
【特許文献】
【０００６】
【特許文献１】特開２００７‐１６１４２１号公報
【特許文献２】特開２０１０‐１４３６９１号公報
【特許文献３】特開平１０‐２７９２３０号公報
【発明の概要】
【発明が解決しようとする課題】
【０００７】
しかしながら、上記特許文献１〜３に記載されたエレベーター装置では、整風カバーを構成する各板材間や整風カバーと乗りかごとの間等に角部が生じ、乗りかごの走行時における整風カバーの風切り音防止効果を十分得られない可能性がある。角部を無くすために整風カバーの周方向の各角部に独特の曲面を付けたものを用意しようとすると製作コストがかかり、整風カバーが非常に高価なものとなってしまう。また、角部のみに丸みを有するカバーを設置しようとすると、ほぼ四角柱形状を有する乗りかごの角部と整風カバーの角部との間に、形状の不連続による段差が生じてしまい、風切り音発生の原因となってしまう。
【０００８】
そこで、本発明の目的は、上記事情に鑑み、簡易的な構造で風切り音防止効果を十分に得ることができる整風カバーを備えたエレベーター装置及びエレベーター装置の組立方法を提供することにある。
【課題を解決するための手段】
【０００９】
上記課題を解決するために、本発明は、乗りかごと、巻上機と、釣合おもりと、上記巻上機に巻きかけられ、上記乗りかごと上記釣合おもりとを連結する主ロープと、を備えたエレベーター装置において、上記乗りかごが四角柱の形状を有し、上記四角柱の４つの角部が面取り部を有し、上記乗りかごの上部及び下部に整風カバーが設置され、上記整風カバーが、上記乗りかごの前面及び後面のそれぞれを上記乗りかごの長手方向に沿って延長した位置に設置された一対の前後部板と、上記乗りかごの左右の側面のそれぞれを上記乗りかごの長手方向に沿って延長した位置に設置された一対の側方部板と、上記前後部板と上記側方部板とを連結する４枚の角部曲面板と、からなり、上記乗りかごの上記面取り部の幅が上記角部曲面板の幅と等しく、上記乗りかごの上部に設置された整風カバーの上記角部曲面板と、上記乗りかごの面取り部と、上記乗りかごの下部に設置された整風カバーの上記角部曲面板とが上記乗りかごの長手方向に沿って連続するように接続され、上記前後部板と上記側方部板との間及び上記前後部板と上記乗りかごとの間に角部が生じないように構成されていることを特徴とするエレベーター装置を提供する。
【００１０】
また、本発明は、乗りかごと、巻上機と、釣合おもりと、前記巻上機に巻きかけられ、前記乗りかごと前記釣合おもりとを連結する主ロープと、を備えたエレベーター装置の組立方法において、四角柱の形状を有し、上記四角柱の４つの角部が面取り部を有する乗りかごを準備する工程と、上記乗りかごの上部及び下部に整風カバーを設置する工程と、を有し、上記整風カバーを設置する工程が、上記整風カバーの組立工程として、前後部板と、側方部板と、上記前後部板と上記側方部板とを連結し、上記乗りかごの上記面取り部の幅と等しい幅を有する角部曲面板と、からなる角部結合部品を８つ準備する工程と、上記乗りかごの上部及び下部の四隅のそれぞれに、上記角部曲面板と上記乗りかごの面取り部とが上記乗りかごの長手方向に沿って連続するように上記角部結合部品を配置する工程と、上記乗りかごと上記角部結合部品及び上記角部結合部品同士を固定する工程と、を有することを特徴とするエレベーター装置の組立方法を提供する。
【発明の効果】
【００１１】
本発明によれば、簡易的な構造で風切り音防止効果を十分に得ることができる整風カバーを備えたエレベーター装置及びエレベーター装置の組立方法を提供することができる。なお、上述した以外の課題、構成及び効果は、以下の実施形態の説明により明らかにされる。
【図面の簡単な説明】
【００１２】
【図１】本発明に係るエレベーター装置を模式的に示す正面図である。
【図２】図１の乗りかご及び整風カバーの斜視図である。
【図３】図２の乗りかご及び整風カバーの一部を示す側面図である
【図４】図１の整風カバー３Ａの分解斜視図である。
【図５】図４の角部結合部品７Ａを示す斜視図である。
【図６】整風カバーの組立工程の第１工程を模式的に示す斜視図である。
【図７】整風カバーの組立工程の第２工程を模式的に示す斜視図である。
【図８】整風カバーの組立工程の第３工程を模式的に示す斜視図である。
【図９】整風カバーの組立工程の第４工程を模式的に示す斜視図である。
【図１０】整風カバーの組立工程の第５工程を模式的に示す斜視図である。
【図１１】整風カバーの組立が完成した状態を模式的に示す図である。
【発明を実施するための形態】
【００１３】
以下、本発明の実施例を図面に基づいて説明する。ただし、本発明は以下の実施例に限定されるものではない。
【実施例】
【００１４】
［エレベーター装置］
図１は本発明に係るエレベーター装置を模式的に示す正面図である。図１に示すように、本発明に係るエレベーター装置１００は、乗客を乗せる乗りかご１と、巻上機２３と、釣合おもり２２と、巻上機２３に巻きかけられ、乗りかご１と釣合おもり２２とを連結する主ロープ２０とを有する。乗りかご１の上部及び下部には、それぞれ整風カバー３Ａ（上部整風カバー）及び３Ｂ（下部整風カバー）が設けられている。乗りかご１は、略四角柱形状を有し、整風カバー３Ａ及び３Ｂは、乗りかご１と反対の方向に向かって先細りとなる形状を有している。整風カバーの材質としては、アルミニウム等が好ましい。
【００１５】
図２は、図１の乗りかご１、整風カバー３Ａ及び３Ｂの斜視図である。図２に示すように、整風カバー３Ａは、乗りかご１の前面（かごドア１１が設けられている面）及び後面（前面の反対の面）のそれぞれを乗りかご１の長手方向に沿って延長した位置に配置された一対の前後部板５Ａ，５Ｂと、乗りかご１の左右の側面のそれぞれを乗りかご１の長手方向に沿って延長した位置に配置された一対の側方部板６Ａ，６Ｂと、乗りかご１の四隅に対応する位置に配置され、前後部板５Ａ，５Ｂと側方部板６Ａ，６Ｂとを連結する４枚の角部曲面板４Ａ，４Ｂ，４Ｃ，４Ｄと、からなる。なお、下部整風カバー３Ｂの構成は上部整風カバー３Ａと同じであるため、各板材（前後部板、側方部板及び角部曲面板）の符号の図示を省略する。
【００１６】
乗りかご１は、４つの角部が面取りされている。すなわち、乗りかご１は４つの面取り部４０を有する（図２では、図面の都合上、１つの角部にのみ符号４０を付している）。そして、整風カバー３Ａの角部曲面板と、乗りかご１の面取り部４０と、整風カバー３Ｂの角部曲面板が同じ幅を有し、乗りかご１の長手方向に沿ってこの順で連続するように接続されている。このような構成によって、整風カバー３Ａ，３Ｂ及び乗りかご１に角部がなくなり、さらに、整風カバー３Ａ，３Ｂと乗りかご１との間の角部（段差）を無くすことができるため、風切り音防止効果を十分に得ることができる。
【００１７】
本実施例では、整風カバー３Ａ，３Ｂと乗りかご１との間に、フレームカバー３０が設けられている。フレームカバー３０は、フレーム８（後述する）にフレーム板２Ａ，２Ｂを取り付けたものであり、乗りかご１に搭載する機器類を収納する空間を形成する。
【００１８】
概略構成が四角柱状の乗りかご１の上下部は、それぞれ図示していないフレーム８（図示せず）の四方を包囲したフレーム板２Ａ，２Ｂと、このフレーム板２Ａ，２Ｂにそれぞれ一部を重複させて配置した後に固定した整風カバー３Ａ，３Ｂとを有している。
【００１９】
フレームカバー３０も、乗りかご１と同様に４つの角部に面取り部４１を有し、面取り部４１が整風カバー３Ａの角部曲面板と、乗りかご１の面取り部４０と、整風カバー３Ｂの角部曲面板と同じ幅を有し、整風カバー３Ａの角部曲面板と、乗りかご１の面取り部４０に連続するように接続されている。このような構成とすることによって、フレームカバー３０を設けた場合であっても、フレームカバー３０自体と、フレームカバー３０と整風カバー３Ａ及びフレームカバー３０と乗りかご１との間に角部を生じることがなく、風切り音防止効果を十分に得ることができる。
【００２０】
図３は、図２の整風カバー３Ａ、フレームカバー３０及び乗りかご１の一部を模式的に示す側面図である（図２の矢印方向から見た図である）。図３に示すように、本発明に係るエレベーター装置の整風カバー３Ａは、前後部板５Ａ，５Ｂと側方部板６Ａ，６Ｂとの間（図３中では、前後部板５Ａと側方部板６Ａとの間のＡで示す部分）、前後部板５Ａ，５Ｂとフレーム板２Ａ，２Ｂとの間（図３中では、前後部板５Ａとフレーム板２Ａとの間のＢで示す部分）、フレームカバー３０と乗りかご１との間（図３中では、フレーム板２Ａと乗りかご１の前面１２との間のＣ）及び整風カバー３Ａ，３Ｂ、フレームカバー３０及び乗りかご１の４隅に角部が生じることなく構成することができる。したがって、整風カバーの風切り音防止効果を十分に得ることができる。上述したように、従来の特許文献１‐３の構造では、各板材間、整風カバーと乗りかごとの間等に角部が生じてしまうため、整風カバーの風切り音防止効果が十分でない可能性がある（特許文献２では図３のＡ部分に、特許文献３では図３のＢ部分に角部が生じる）。
【００２１】
図４は図１の整風カバー３Ａの分解斜視図であり、図５は図４の角部結合部品７Ａを示す斜視図である。図４及び５に示すように、整風カバー３Ａは、１つの部材からなるものであってもよいが、前後部板５Ａと側方部板６Ａとを、整風カバー３Ａの周方向に２分割し、前後部板と、側方部板と、角部曲面板とが一体に成形された角部結合部品７Ａ，Ｂ，Ｃ，Ｄを用意し、この角部結合部品７Ａ〜Ｄを用いて整風カバー３Ａを構成してもよい。このように整風カバー３Ａを複数の部品で構成することで整風カバーの製造が容易となり、また組立作業を容易にすることもできる。
【００２２】
角部結合部品７Ａは、角部曲面板４Ａと、前後部板５Ａと、側方部板６Ａとを結合したものである。角部結合部品７Ｂは、角部曲面板４Ｂと、前後部板５Ｂと、側方部板６Ａとを結合したものである。角部結合部品７Ｃは、角部曲面板４Ｃと、前後部板５Ｂと、側方部板６Ｂとを結合したものである。さらに角部結合部品７Ｄは、角部曲面板４Ｄと、前後部板５Ａと、側方部板６Ｂとを結合したものである。なお、整風カバー３Ａの分割は三分割以上であっても良いが、部品点数を低減してなるべく簡易な構造とするために二分割であることが好ましい。
【００２３】
［エレベーター装置の組立方法］
以下に、図６〜図１１を用いて本発明に係るエレベーター装置の組立方法、特に整風カバー３Ａの組立方法について説明する。図６は整風カバーの組立工程の第１工程を模式的に示す斜視図である。図１に示すように、第１工程では、予め、乗りかご１の上方部に搭載するように組立てたフレーム部品８を乗りかご１の上方部に取り付ける。このフレーム部品８は、図４に示した角部結合部品７Ａ〜７Ｄのそれぞれをフレーム部品８の四隅に固定することができる箱形の枠体からなる。
【００２４】
図７は整風カバーの組立工程の第２工程を模式的に示す斜視図である。第１工程で乗りかご１の上方部に固定したフレーム部品８の４つの側面に、フレーム板２Ａ，２Ｂを取り付ける。図７では、２枚のフレーム板２Ａ，２Ｂのみを図示しているが、他の側面にも同様にフレーム板が取り付けられている。フレーム部品８及びフレーム板２Ａ，２Ｂからなるものをフレームカバーと称する。フレーム板２Ａは、フレームカバーの面取り部４１を有し、面取り部４１と乗りかご１の面取り部４０とが乗りかご１の長手方向に沿って連続して接続されるように位置合わせを行い、固定される。
【００２５】
図８は整風カバーの組立工程の第３工程を模式的に示す斜視図である。本工程では、角部結合部品７Ａ〜７Ｄを準備し、フレーム部品８の四隅に角部結合部品７Ａ〜７Ｄをそれぞれ位置合わせしながら配置する。角部結合部品７Ａが、角部曲面板４Ａと、フレームカバーの面取り部４１と、乗りかご１の面取り部４０とが、乗りかご１の長手方向に沿って連続して接続されるように位置合わせを行う。他の角部結合部品７Ｂ〜Ｄについても、同様に位置合わせを行う。各角部結合部品７Ａ〜７Ｄの底辺は、フレーム部品８及びフレーム板２Ａ，２Ｂの四隅に合致するようにしており、容易に位置合わせを行うことができる。
【００２６】
図９は整風カバーの組立工程の第４工程を模式的に示す斜視図である。第３工程で角部結合部品７Ａ〜７Ｄの位置合わせを行った後、各角部結合部品７Ａ〜７Ｄをフレーム部品８及びフレーム板２Ａ，２Ｂに固定し、続いて、各角部結合部品７Ａ〜７Ｄ間も固定する。乗りかご１の正面側に配置されることになる前後部板５Ａとフレームカバー３０で囲まれて形成される窓部（点検窓）９は、かご上点検のために作業者が出入りすることができるようにするためのものである。
【００２７】
図１０は整風カバーの組立工程の第５工程を模式的に示す斜視図である。窓部９は、定常状態で開放させていると大きな風切り音が発生してしまうため、窓部９を塞ぐように前面カバー１０を取り付ける。図１１は、整風カバーの組立が完成した状態を模式的に示す図である。整風カバー３Ｂについても、整風カバー３Ａと同様に組立てる。
【００２８】
上述したように、本発明に係る整風カバーの組立方法によれば、簡易な構造で組立時の作業性が良く、角部が生じない整風カバーを組立てることができる。
【００２９】
以上説明したように、本発明によれば簡易的な構造で風切り音防止効果を十分に得ることができる整風カバーを備えたエレベーター装置及びエレベーター装置の組立方法を提供することができることが示された。
【００３０】
なお、本発明は、上述した実施例に限定するものではなく、様々な変形例が含まれる。例えば、上述した実施例は本発明を分かり易く説明するために詳細に説明したものであり、必ずしも説明した全ての構成を備えるものに限定するものではない。
【符号の説明】
【００３１】
１…乗りかご、２Ａ，２Ｂ…フレーム板、３Ａ，３Ｂ…整風カバー、４Ａ，４Ｂ，４Ｃ，４Ｄ…角部曲面板、５Ａ，５Ｂ…前後部板、６Ａ，６Ｂ…側方部板、７Ａ，７Ｂ，７Ｃ，７Ｄ…角部結合部品、８…フレーム部品、９…窓部、１０…前面カバー、１１…かごドア、１２…乗りかごの前面、２０…主ロープ、２２…釣合おもり、２３…巻上機、２４…昇降路、３０…フレームカバー、４０…乗りかごの面取り部、４１…フレームカバーの面取り部、１００…エレベーター装置。
【図１】
0006325989.tif 000002
【図２】
0006325989.tif 000003
【図３】
0006325989.tif 000004
【図４】
0006325989.tif 000005
【図５】
0006325989.tif 000006
【図６】
0006325989.tif 000007
【図７】
0006325989.tif 000008
【図８】
0006325989.tif 000009
【図９】
0006325989.tif 000010
【図１０】
0006325989.tif 000011
【図１１】
0006325989.tif 000012